(57)【要約】      （修正有）【課題】雨漏りを防止する屋根用波板を提供する。【解決手段】山部１１１と谷部１１２からなる本体１１と引っ掛け部１２からなる屋根用波板１で、本体の山部から谷部への切替わる付近の可能なかぎり建材に沿う位置の内側の双方に、屋根用波板の雨水の流れる方向に平行して突起状の引っ掛け部１２を備える。固定材は本体と、本体から左右に開いた取り付け部を引っ掛け部の嵌めこみ部１２１に挿入し、固定材の本体と建材を連結することで屋根用波板を取り付ける。【選択図】図１
2018162569.tif 000002
【特許請求の範囲】
【請求項１】
山部（１１１）と谷部（１１２）の繰り返しからなる屋根用波板（１１）であって、前記繰り返しの少なくとも一部において、山部（１１１）から谷部（１１２）への切替わる付近において、山部（１１１）の両側から内側に突起した一対の引っ掛け部（１２）を備えたことを特徴とする屋根用波板（１１）。
【請求項２】
前記引っ掛け部（１２）は、山又は谷に沿った雨水の流れる方向に平行して、一端から他端まで連続している、請求項１に記載の屋根用波板（１１）。
【請求項３】
前記引っ掛け部（１２）は、前記屋根用波板（１１）を構成する等厚の波板の一部が屈曲することにより構成されている、請求項２に記載の屋根用波板（１１）。
【請求項４】
前記山部（１１１）と谷部（１１２）の繰り返し方向に沿った前記屋根用波板の一端が、前記山部（１１１）から前記谷部（１１２）へ切り替わる付近にあって、
前記屋根用波板（１１）は、前記繰り返し方向の前記一端に隣接する前記山部（１１１）の両側から内側に突起した前記一対の引っかけ部（１２）を有しており、
前記繰り返し方向の前記一端には、別の屋根用波板の端部を嵌め込むための切れ込みが、山又は谷に沿った雨水の流れる方向に平行して、一端から他端まで連続している、請求項１から３のいずれかに記載の屋根用波板（１１）。
【請求項５】
請求項１から４のいずれかに記載の屋根用波板（１１）を建材に固定するための固定材D,Cであって、基端に孔を形成するヘアピン状の本体部（２１）と、当該本体部（２１）の２つの先端から、互いに反対側に向かい、かつ拡幅しつつ、さらに先端が前記本体部（２１）の基端側に戻るように、湾曲した一対の取付部（２２）と、を有し、当該取付部（２２）の先端には、鋸歯状の凹凸が形成されている固定材D,C。
【発明の詳細な説明】
【技術分野】
【０００１】
本発明は波板の雨漏りを解消するための屋根波板に関する。
【背景技術】
【０００２】
従来の波板は、傘釘を打ちつけて建材に固定していた。
【発明の概要】
【発明が解決しようとする課題】
【０００３】
従来の屋根波板は、屋根波板の上方から傘釘を打ちつけて建材に固定していた。そのため屋根波板に孔があき、傘釘と傘釘に付随する防水材の劣化でその孔から雨水が漏れるという課題があった。
【課題を解決するための手段】
【０００４】
山部（１１１）と谷部（１１２）の繰り返しからなる屋根用波板（１１）であって、前記繰り返しの少なくとも一部において、山部（１１１）から谷部（１１２）への切替わる付近において、山部（１１１）の両側から内側に突起した一対の引っ掛け部（１２）を備えたことを特徴とする屋根用波板（１１）である。
【０００５】
前記引っ掛け部（１２）は、山又は谷に沿った雨水の流れる方向に平行して、一端から他端まで連続している、屋根用波板（１１）である。
【０００６】
前記引っ掛け部（１２）は、前記屋根用波板（１１）を構成する等厚の波板の一部が屈曲することにより構成されている、屋根用波板（１１）である。
【０００７】
前記山部（１１１）と谷部（１１２）の繰り返し方向に沿った前記屋根用波板の一端が、前記山部（１１１）から前記谷部（１１２）へ切り替わる付近にあって、
前記屋根用波板（１１）は、前記繰り返し方向の前記一端に隣接する前記山部（１１１）の両側から内側に突起した前記一対の引っかけ部（１２）を有しており、
前記繰り返し方向の前記一端には、別の屋根用波板の端部を嵌め込むための切れ込みが、山又は谷に沿った雨水の流れる方向に平行して、一端から他端まで連続している屋根用波板（１１）である。
【０００８】
屋根用波板（１１）を建材に固定するための固定材D,Cであって、基端に孔を形成するヘアピン状の本体部（２１）と、当該本体部（２１）の２つの先端から、互いに反対側に向かい、かつ拡幅しつつ、さらに先端が前記本体部（２１）の基端側に戻るように、湾曲した一対の取付部（２２）と、を有し、当該取付部（２２）の先端には、鋸歯状の凹凸が形成されている固定材D,Cである。
【発明の効果】
【０００９】
本発明は屋根波板に傘釘で孔をあけずに建材に固定するので、従来のような雨漏れに起因する箇所が存在しないので長持ちする。
【図面の簡単な説明】
【００１０】
【図１】本発明の屋根用波板の構成    （ａ）基本系  （ｂ）折畳型
【図２】本発明の固定材の構成
【図３】本発明の屋根用波板と固定材の使用例
【図４】本発明の屋根用波板の連結の構成
【発明を実施するための形態】
【００１１】
図1に本発明の屋根用波板１１の全体構成で、（ａ）は基本系（ｂ）は折畳型を示す。
本発明の屋根用波板１１は樹脂製で、（a）に示すように、本体１１と固定材２を引っ掛けるための引っ掛け部１２からなる。屋根用波板の本体１１は波状で、山部１１１と谷部１１２を形成している。
山部１１１から谷部１１２に切り替わる切り替わり部１１３付近に可能なかぎり建材4に沿う位置の内側双方に固定材２を引っ掛けるための屋根用波板１１の雨水の流れに平行する方向（すなわち山又は谷に沿った方向）に突起状の引っ掛け部１２を、複数個所、又は全体に連続的に構成する。
（ｂ）に示すように波板の切り替わり部１１３付近、建材4に沿う位置の内側双方に上下に折り畳んだ形状で、引っ掛け部１２を形成してもよい。
【００１２】
図２に固定材Dの構成例を示す。
固定材Dは、屋根用波板１１を建材４に固定するためもので、根本側の本体２１と、本体から左右に開いた取り付け部２２からなる。取り付け部２２の先端部２２１は、引っ掛け部に引っ掛けたときにずれないように鋸歯のようにギザギザ２２１を形成している。
本体２１の下部には、建材４と連結する連結材５を取り付けるための取り付け孔２１１を備える、本体Dは、図２に示すように一枚の金属板を２つに折り畳んで、連結材５（図３参照）を取り付ける部分である本体２１を形成してもよい。固定材Dは、樹脂製であっても、金属製であってもよい。
図２の根本側の本体２１は一枚の金属板を２つに折り畳んだ形状により、取り付け孔２１１を形成しているが、一枚の板状の左右に取り付け部２２を溶接などで接続し、根本に取り付け孔２１１を形成してもよい。
固定材Cのように、本体２１を足長にしてもよい。それにより、連結材５を要することなく、固定材Cを建材４に固定することが可能となる。
【００１３】
連結材５は、固定材Dと建材を４とを連結する長尺状のもので、固定材Dの取り付け孔２１１を通したり引っ掛けて、建材４に括ったり、釘で打ち付けて固定する、連結材５の代わりとして足の長いタイプCを用意してもよい。
【００１４】
図３は本発明の屋根用波板１１を固定材２と連結材５で、建材４に取付けた使用図である。
屋根用波板１の引っ掛け部１２の任意の位置に、下方向から、固定材Dを押し込むことで、左右の取付け部２２が少し撓んで、嵌め込み部１２１に嵌めて引っ掛け部１２に取り付け、固定材Dと建材４を連結材５で連結する。固定材Dを引っ掛け部１２に複数個所取り付けて、屋根全体１を固定する。連結材５は、バンド状もしくは針金等を用いる。
【００１５】
図4は屋根用波板1を2枚以上並べて継ぎ足す場合の使用図である。雨水の流れに平行して横方向に屋根用波板を継ぎ足す場合、屋根用波板１の片端に山部１１１から谷部１１２へ向かう切り替わり部１１３あたりに下向きのU字形の嵌め込み箇所E及び引っ掛け部１２を設け、継ぎ足し側屋根用波板１の片端Fを上向きに前記Eに挿入することで水漏れが生ずることなく波板の継ぎ足しを可能とする。  
【符号の説明】
【００１６】
１                屋根用波板
１１              本体
１１１            山部
１１２            谷部
１１３            切り替わり部  
１２              引っ掛け部
１２１            嵌め込み部
D                 固定材
C                 固定材足長
２１              本体
２１１            取り付け孔
２２              取り付け部
２２１            先端部
3                 本発明の屋根用波板と固定材の使用例
５                連結材
４                建材
E                 屋根用波板１U字形嵌めこみ部
F                 屋根用波板１継ぎ足し側  挿入部  
【図１】
2018162569.tif 000003
【図２】
2018162569.tif 000004
【図３】
2018162569.tif 000005
【図４】
2018162569.tif 000006
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
山部（１１１）と谷部（１１２）の繰り返しからなる屋根用波板（１１）であって、前記繰り返しの少なくとも一部において、山部（１１１）から谷部（１１２）への切替わる付近において、山部（１１１）の両側から内側に突起した一対の引っ掛け部（１２）を備え、
前記山部（１１１）と谷部（１１２）の繰り返し方向に沿った前記屋根用波板の一端が、前記山部（１１１）から前記谷部（１１２）へ切り替わる付近にあって、
前記屋根用波板（１１）は、前記繰り返し方向の前記一端に隣接する前記山部（１１１）の両側から内側に突起した前記一対の引っかけ部（１２）を有しており、
前記繰り返し方向の前記一端（図４）には、別の屋根用波板の端部を嵌め込むための切れ込みが、山又は谷に沿った雨水の流れる方向に平行して、一端から他端まで連続しており、
前記切れ込みは、前記一端に開口する開口部から奥側へ、斜め上方に向かって形成されている屋根用波板。
【請求項２】
前記引っ掛け部（１２）は、山又は谷に沿った雨水の流れる方向に平行して、一端から他端まで連続している、請求項１に記載の屋根用波板。
【請求項３】
前記引っ掛け部（１２）は、前記屋根用波板（１１）を構成する等厚の波板の一部が屈曲することにより構成されている、請求項２に記載の屋根用波板。
【請求項４】
請求項１から（３）のいずれかに記載の屋根用波板（１１）を建材に固定するための固定材C（足長）、D（足短)）であって、基端に孔（２１１）を形成するヘアピン状の本体部（２１）と、当該本体部（２１）の２つの先端から、互いに反対側に向かい、且つ拡幅(銀杏の葉）しつつ、さらに先端が前記本体部（２１）の基端側に戻るように、湾曲した一対の取付部（２２）と、当該取付部（２２）の先端には、波板は水の流れに伴い傾斜を伴うため波板（１１）の滑り止めとしての鋸歯状の凹凸が形成されている固定材。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
山部（１１１）と谷部（１１２）の繰り返しからなる屋根用波板（１１）であって、前記繰り返しの少なくとも一部において、山部（１１１）から谷部（１１２）への切替わる付近において、山部（１１１）の両側から内側に突起した一対の引っ掛け部（１２）を備え、
前記山部（１１１）と谷部（１１２）の繰り返し方向に沿った前記屋根用波板の一端が、前記山部（１１１）から前記谷部（１１２）へ切り替わる付近にあって、
前記屋根用波板（１１）は、前記繰り返し方向の前記一端に隣接する前記山部（１１１）の両側から内側に突起した前記一対の引っかけ部（１２）を有しており、
前記繰り返し方向の前記一端には、別の屋根用波板の端部を嵌め込むための切れ込みが、山又は谷に沿った雨水の流れる方向に平行して、一端から他端まで連続しており、
前記切れ込みは、前記一端に開口する開口部から奥側へ、斜め上方に向かって形成されている屋根用波板（１１）。
【請求項２】
前記引っ掛け部（１２）は、山又は谷に沿った雨水の流れる方向に平行して、一端から他端まで連続している、請求項１に記載の屋根用波板（１１）。
【請求項３】
前記引っ掛け部（１２）は、前記屋根用波板（１１）を構成する等厚の波板の一部が屈曲することにより構成されている、請求項２に記載の屋根用波板（１１）。
【請求項４】
請求項１から（３）のいずれかに記載の屋根用波板（１１）を建材に固定するための固定材（C、D）であって、基端に孔（２１１）を形成するヘアピン状の本体部（２１）と、当該本体部（２１）の２つの先端から、互いに反対側に向かい、且つ銀杏の葉の形態で拡幅しつつ、さらに先端が前記本体部（２１）の基端側に戻るように、湾曲した一対の取付部（２２）とを有し、当該取付部（２２）の先端には、波板（１１）の滑り止めとしての鋸歯状の凹凸が形成されており、全体が一枚の板により形成されている固定材（C,D）と、
前記孔（２１１）に通すか、又は引っ掛け、前記建材に括るか、又は釘で打ち付けることにより、前記固定材を前記建材に固定する、長尺状の連結材（５）と、を備える、屋根固定材。